(57)【要約】【課題】水が洗い場や介助用スペースから浴槽載置部へ流入することを抑制することができる浴室を提供することを目的とする。【解決手段】浴槽を載置する浴槽パンと、浴槽パンのうちの一部を覆い浴槽載置部と介助用スペースとを形成可能な蓋材と、前記浴槽パンに接続された洗い場と、前記洗い場および前記蓋材に対して水密性を有し、水が前記洗い場および前記介助用スペースから前記浴槽載置部へ流入することを抑制する堰部材と、を備え、前記堰部材は、着脱可能に設けられたことを特徴とする浴室が提供される。【選択図】図１
2015167726.tif 000002
【特許請求の範囲】
【請求項１】
浴槽を載置する浴槽パンと、
浴槽パンのうちの一部を覆い浴槽載置部と介助用スペースとを形成可能な蓋材と、
前記浴槽パンに接続された洗い場と、
前記洗い場および前記蓋材に対して水密性を有し、水が前記洗い場および前記介助用スペースから前記浴槽載置部へ流入することを抑制する堰部材と、
を備え、
前記堰部材は、着脱可能に設置されたことを特徴とする浴室。
【請求項２】
前記浴槽における前記洗い場の側および前記浴槽における前記蓋材の側に設けられたエプロンをさらに備え、
前記エプロンのうちの一部は、前記堰部材とオーバーラップしたことを特徴とする請求項１記載の浴室。
【請求項３】
前記堰部材は、
前記洗い場と前記浴槽載置部との境界部に設けられた長辺部材と、
前記蓋材と前記浴槽載置部との境界部に設けられた短辺部材と、
に分離されたことを特徴とする請求項１または２に記載の浴室。
【請求項４】
前記堰部材は、前記長辺部材と前記短辺部材との間に設けられ前記長辺部材と前記短辺部材とを間接的に接続するコーナピースを有し、
前記コーナピースと前記長辺部材との間のオーバーラップ代が可変とされたことを特徴とする請求項３記載の浴室。
【請求項５】
前記浴槽パンは、第１の孔を有し、
前記堰部材は、前記洗い場の表面および前記蓋材の表面から垂直方向に延在する堰面部と、前記堰面部の下端部から水平方向に延在し第２の孔を有する取付面部と、を有し、
前記蓋材は、端部において表面から下へ後退した位置に設けられ第３の孔を有する取付フランジを有し、
前記堰部材は、前記取付面部が前記取付フランジに載置された状態で締結部材が前記第２の孔および前記第３の孔を通して前記第１の孔に締結されることにより前記蓋材とともに前記浴槽パンに固定されたことを特徴とする請求項１〜４のいずれか１つに記載の浴室。
【請求項６】
前記堰部材は、側面に設けられ前記取付面部とは反対方向へ水平方向に延在するフランジ部をさらに有し、
前記フランジ部の下面にシール材が取り付けられたことを特徴とする請求項５記載の浴室。
【発明の詳細な説明】
【技術分野】
【０００１】
本発明の態様は、一般的に、浴室に関する。
【背景技術】
【０００２】
介助を必要とする人（要介助者）の入浴に対応した浴室（介護用浴室）では、蓋材を浴槽パンのうちの一部に被せることによって、浴槽載置部と介助用スペースとが形成されている。介護用浴室では、要介助者の身体特性に応じて浴槽の配置を変更できることが望ましい。そこで、サイドボードの設置位置を変更することで浴槽の配置を変更できる浴室構造がある（特許文献１）。
【０００３】
一般的な浴室では、水が洗い場から浴槽載置部に流れ込まないようにするため、土手（堰）が洗い場と一体成形されている。しかし、例えば特許文献１に開示された浴室構造では、浴槽載置部あるいは浴槽の配置が変わるため、土手（堰）が設けられていない。特許文献１に開示された浴室構造では、エプロンが浴槽の周囲に設けられている。しかし、防水パンと浴槽との間およびサイドボードと浴槽との間に隙間が生じ、その隙間から浴槽配置用床へ水が流入するおそれがある。浴槽配置用床の上には浴槽が載置されているため、浴槽配置用床に流入した水は、浴室を換気しただけではなくならないおそれがある。すると、浴槽配置用床に残水が生じ、異臭が生ずることがある。
【先行技術文献】
【特許文献】
【０００４】
【特許文献１】特許第４６３６７７６号公報
【発明の概要】
【発明が解決しようとする課題】
【０００５】
本発明は、かかる課題の認識に基づいてなされたものであり、水が洗い場や介助用スペースから浴槽載置部へ流入することを抑制することができる浴室を提供することを目的とする。
【課題を解決するための手段】
【０００６】
第１の発明は、浴槽を載置する浴槽パンと、浴槽パンのうちの一部を覆い浴槽載置部と介助用スペースとを形成可能な蓋材と、前記浴槽パンに接続された洗い場と、前記洗い場および前記蓋材に対して水密性を有し、水が前記洗い場および前記介助用スペースから前記浴槽載置部へ流入することを抑制する堰部材と、を備え、前記堰部材は、着脱可能に設置されたことを特徴とする浴室である。
【０００７】
この浴室によれば、浴槽の下に設けられた浴槽パンへ水が流入することを堰部材により抑制することができる。また、堰部材を洗い場および蓋材から取り外し、浴槽載置部の配置を変更することができる。これにより、要介助者の身体特性に応じた位置に浴槽を配置することができる。
【０００８】
第２の発明は、第１の発明において、前記浴槽における前記洗い場の側および前記浴槽における前記蓋材の側に設けられたエプロンをさらに備え、前記エプロンのうちの一部は、前記堰部材とオーバーラップしたことを特徴とする浴室である。
【０００９】
この浴室によれば、堰部材の高さを超える程度に跳ねた水が堰部材に向かって流れてきても、エプロンが堰部材の手前に存在するため、水が堰部材を乗り越えて浴槽パンに流入することを抑えることができる。
【００１０】
第３の発明は、第１または２の発明において、前記堰部材は、前記洗い場と前記浴槽載置部との境界部に設けられた長辺部材と、前記蓋材と前記浴槽載置部との境界部に設けられた短辺部材と、に分離されたことを特徴とする浴室である。
【００１１】
この浴室によれば、浴槽の二辺あるいは三辺を囲む堰部材は、複数の直線状の部材に分割されている。そのため、堰部材については、複数の直線状の部材を施工現場に搬送し、施工現場において堰部材を組み立てることができる。これにより、堰部材の搬送性を向上させることができる。
【００１２】
第４の発明は、第３の発明において、前記堰部材は、前記長辺部材と前記短辺部材との間に設けられ前記長辺部材と前記短辺部材とを間接的に接続するコーナピースを有し、前記コーナピースと前記長辺部材との間のオーバーラップ代が可変とされたことを特徴とする浴室である。
【００１３】
この浴室によれば、長辺部材とコーナピースとの間のオーバーラップ代が可変とされているため、長辺部材とコーナピースとの間には、遊びが存在する。そのため、蓋材や浴槽などの寸法誤差を吸収することができる。
【００１４】
第５の発明は、第１〜４のいずれか１つの発明において、前記浴槽パンは、第１の孔を有し、前記堰部材は、前記洗い場の表面および前記蓋材の表面から垂直方向に延在する堰面部と、前記堰面部の下端部から水平方向に延在し第２の孔を有する取付面部と、を有し、前記蓋材は、端部において表面から下へ後退した位置に設けられ第３の孔を有する取付フランジを有し、前記堰部材は、前記取付面部が前記取付フランジに載置された状態で締結部材が前記第２の孔および前記第３の孔を通して前記第１の孔に締結されることにより前記蓋材とともに前記浴槽パンに固定されたことを特徴とする浴室である。
【００１５】
この浴室によれば、コーナピースおよび蓋材が締結部材により浴槽パンに共締めされるため、施工を簡素化することができ、施工時間を短縮することができる。  
また、堰部材の取付位置は、浴槽およびエプロンにより隠蔽される。より具体的には、堰部材の取付位置は、堰部材からみて浴槽載置部の側に設けられ、洗い場の側および蓋材の側に露出しない。締結部材は、蓋材の表面には露呈されない。これにより、浴室の見栄えをよくすることができる。また、要介助者および介助者の足が締結部材に触れることを抑え、要介助者および介助者が冷たさを感ずることを抑えることができる。 
さらに、蓋材の取付フランジが浴槽の下に設けられるため、堰部材が蓋材の上に設けられる場合と比較して、浴槽に近い位置に堰部材を取り付けることができる。そのため、堰部材が蓋材の上に設けられる場合と比較して、介助用スペースを浴槽の側に広げることができる。そのため、介助者は、浴槽のへりにまで足を入れることができる。これにより、要介助者が浴槽に入るときの介助作業、あるいは要介助者が浴槽から出るときの介助作業を、介助用スペースにおいて行いやすくなる。
【００１６】
第６の発明は、第５の発明において、前記堰部材は、側面に設けられ前記取付面部とは反対方向へ水平方向に延在するフランジ部をさらに有し、前記フランジ部の下面にシール材が取り付けられたことを特徴とする浴室である。
【００１７】
この浴室によれば、締結部材が第１の孔に締結されるときに、シール材は、フランジ部と、洗い場の表面および蓋材の表面と、の間において挟設され潰される。そのため、洗い場および蓋材が堰部材と別体であっても、洗い場と堰部材との間の水密性および蓋材と堰部材との間の水密性が確保される。これにより、水が洗い場と堰部材との間および蓋材と堰部材との間を通り浴槽パンに流入することを抑制することができる。
【発明の効果】
【００１８】
本発明の態様によれば、水が洗い場や介助用スペースから浴槽載置部へ流入することを抑制することができる浴室が提供される。
【図面の簡単な説明】
【００１９】
【図１】本発明の実施の形態にかかる浴室を表す模式図である。
【図２】本実施形態にかかる浴室を表す模式的分解図である。
【図３】本実施形態にかかる浴室を表す模式的斜視図である。
【図４】本実施形態にかかる浴室を表す模式的断面図である。
【図５】本実施形態の堰部材を表す模式的斜視図である。
【図６】本実施形態の堰部材の角部を拡大した模式的拡大図である。
【図７】本実施形態の浴槽パンおよび洗い場を表す模式的斜視図である。
【図８】蓋材および堰部材が浴槽パンに設置された状態を表した模式的斜視図である。
【図９】第１の部材と第２の部材との間の角部を拡大した模式的拡大図である。
【図１０】第１の部材と第２の部材との間の角部を表す模式的斜視図である。
【図１１】エプロンと堰部材との間の関係を説明する模式図である。
【図１２】蓋材および浴槽の設置形態を例示する模式的斜視図である。
【図１３】本実施形態にかかる浴室の組立工程の一部を説明する模式的斜視図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式図である。  
図２は、本実施形態にかかる浴室を表す模式的分解図である。  
図１（ａ）は、本実施形態にかかる浴室を表す模式的斜視図である。図１（ｂ）は、本実施形態にかかる浴室を上方から眺めた模式的平面図である。  
図２では、説明の便宜上、浴槽およびエプロンを切断している。
【００２１】
図１（ａ）および図１（ｂ）は、介助を必要とする人（以下、説明の便宜上「要介助者」と称する。）の入浴に対応した浴室の例を表す。図１（ａ）〜図２に表したように、浴室１０は、洗い場１００と、浴槽パン２００と、蓋材３１０と、堰部材３２０と、を備える。浴槽パン２００は、洗い場１００と並んで設けられ、洗い場１００に接続されている。
【００２２】
洗い場１００および浴槽パン２００の周縁部には、壁パネル３８０が設けられている。壁パネル３８０には、手すり３９１、照明３９２、給水装置３９３、鏡３９４、およびカウンタ３９５が適宜設けられている。
【００２３】
洗い場１００は、排水口カバー１０１を有する。排水口カバー１０１の下には、ヘアキャッチャ１０５が設けられている。また、排水口カバー１０１の下には、排水口１０３が設けられている。つまり、洗い場１００は、排水口カバー１０１の下に設けられた排水口１０３を有する。洗い場１００の水は、排水口１０３を通して配管４５０により排出される。
【００２４】
浴槽パン２００の上には、浴槽３３０が設けられている。浴槽３３０と洗い場１００との間の境界には、浴槽３３０における洗い場１００の側の側面を覆い隠す第１のエプロン３４１が設けられている。浴槽３３０と蓋材３１０との間の境界には、浴槽３３０における蓋材３１０の側の側面を覆い隠す第２のエプロン３４２が設けられている。
【００２５】
蓋材３１０は、浴槽パン２００のうちの一部を覆う。図１（ａ）〜図２に表したように、例えば、蓋材３１０は、浴槽パン２００の一端部を覆う。他の蓋材３１０は、浴槽パン２００の他端部を覆う。図１（ａ）〜図２に表した例では、堰部材３２０および浴槽３３０は、蓋材３１０と、他の蓋材３１０と、の間に設けられる。但し、蓋材３１０および浴槽３３０の設置形態は、図１（ａ）〜図２に表した例には限定されない。蓋材３１０および浴槽３３０の他の設置形態については、後述する。
【００２６】
蓋材３１０が浴槽パン２００の一部を覆うことにより、浴槽パン２００の上に、浴槽載置部２１０と、介助用スペース３１０ａと、が形成される。浴槽載置部２１０は、浴槽パン２００の上に形成された領域であり、浴槽３３０を載置する。介助用スペース３１０ａは、要介助者４１０を介助する人（以下、説明の便宜上「介助者」と称する。）４２０が介助作業を行うときに利用する空間である。なお、図１（ａ）および図１（ｂ）に表したように、介助用スペース３１０ａには、移乗台３８１が設置されてもよい。本願明細書において「介助用スペース」とは、介助者４２０が介助作業のときに利用する空間だけではなく、介助作業に必要な台や椅子などが設置される空間を含むものとする。
【００２７】
洗い場１００の上には、例えば要介助者４１０が浴槽３３０に入る前に利用するトランスファーボード３８３が設置されてもよい。
【００２８】
浴槽３３０は、浴槽パン２００の浴槽載置部２１０に載置され、排水口３３１を有する。浴槽パン２００と浴槽３３０との間には、排水管３５０が設けられている。排水管３５０は、浴槽３３０の排水口３３１と、洗い場１００の排水口１０３と、を接続する。
【００２９】
ここで、第１のエプロン３４１および第２のエプロン３４２が浴槽３３０の周囲に設けられていても、洗い場１００と浴槽３３０との間および蓋材３１０と浴槽３３０との間に隙間が生ずると、その隙間から浴槽載置部２１０へ水が流入するおそれがある。すると、浴槽載置部２１０に残水が生じ、汚れが生じて、異臭が生ずることがある。
【００３０】
これに対して、本実施形態にかかる浴室１０では、堰部材３２０が浴槽３３０の下部の周囲に設けられている。堰部材３２０は、洗い場１００と浴槽３３０との間および蓋材３１０と浴槽３３０との間の隙間を塞ぎ、洗い場１００および介助用スペース３１０ａから浴槽載置部２１０へ水が流入することを抑制する。堰部材３２０は、洗い場１００および蓋材３１０に対して水密性を有する。堰部材３２０は、着脱可能に設置されている。
【００３１】
本実施形態によれば、浴槽３３０の下に設けられた浴槽パン２００へ水が流入することを堰部材３２０により抑制することができる。また、堰部材３２０を取り外し、浴槽載置部２１０の配置を変更することができる。これにより、要介助者４１０の身体特性に応じた位置に浴槽３３０を配置することができる。
【００３２】
次に、本実施形態の堰部材３２０について、図面を参照しつつさらに説明する。  
図３は、本実施形態にかかる浴室を表す模式的斜視図である。  
図４は、本実施形態にかかる浴室を表す模式的断面図である。  
図３（ａ）は、本実施形態の蓋材および堰部材を分解した模式的分解図である。図３（ｂ）は、本実施形態の蓋材および堰部材を浴槽パンに取り付けた模式的組立図である。図３（ｃ）は、本実施形態の浴槽を浴槽載置部に設置した模式的組立図である。  
図４（ａ）は、図３（ｂ）に表した切断面Ｂ−Ｂにおける模式的断面図である。図４（ｂ）は、図３（ｂ）に表した切断面Ｃ−Ｃにおける模式的断面図である。図４（ｃ）は、図３（ｂ）に表した切断面Ｄ−Ｄにおける模式的断面図である。
【００３３】
図３（ａ）に表したように、蓋材３１０は、浴槽パン２００に対して着脱自在とされている。堰部材３２０は、浴槽パン２００に対して着脱自在とされている。蓋材３１０は、浴槽パン２００のうちの一部を覆い、浴槽パン２００に取り付けられる。図３（ｂ）に表した例では、蓋材３１０は、浴槽パン２００の一端部に取り付けられる。他の蓋材３１０は、浴槽パン２００の他端部に取り付けられる。これにより、浴槽パン２００の上に、浴槽載置部２１０と、介助用スペース３１０ａと、が形成される。
【００３４】
図３（ｂ）に表したように、本実施形態の堰部材３２０は、浴槽載置部２１０の周縁部に設けられている。より具体的には、図３（ｂ）および図４（ａ）に表したように、堰部材３２０のうちの一部は、洗い場１００と浴槽載置部２１０との間の境界部に設けられている。図３（ｂ）および図４（ｂ）に表したように、堰部材３２０のうちの一部は、蓋材３１０と浴槽載置部２１０との間の境界部に設けられている。
【００３５】
図３（ｃ）に表したように、浴槽３３０が浴槽載置部２１０に設置されると、堰部材３２０は、浴槽３３０の下部の周囲に配置される。より具体的には、堰部材３２０は、第１のエプロン３４１の下部および第２のエプロン３４２の下部に設けられる。
【００３６】
図４（ｃ）に表したように、蓋材３１０の表面３１１は、洗い場１００の表面１０２と略同一面とされている。これにより、介助者４２０は、洗い場１００と介助用スペース３１０ａとの間をより楽に移動することができ、効率的に介助作業を行うことができる。
【００３７】
図５は、本実施形態の堰部材を表す模式的斜視図である。  
図６は、本実施形態の堰部材の角部を拡大した模式的拡大図である。  
図５（ａ）は、本実施形態の堰部材に含まれる部材を分解した模式的分解図である。図５（ｂ）は、本実施形態の堰部材に含まれる部材を組み立てた模式的組立図である。図６（ａ）は、本実施形態の堰部材の角部を分解した模式的分解図である。図６（ｂ）は、本実施形態の堰部材の角部を組み立てた模式的組立図である。
【００３８】
図５（ａ）に表したように、本実施形態の堰部材３２０は、第１の部材（長辺部材）３２１と、第２の部材（短辺部材）３２２と、第３の部材（短辺部材）３２３と、第１のコーナピース３２６と、第２のコーナピース３２７と、を有する。つまり、堰部材３２０は、第１の部材（長辺部材）３２１と、第２の部材（短辺部材）３２２と、第３の部材（短辺部材）３２３と、第１のコーナピース３２６と、第２のコーナピース３２７と、に分離されている。第１の部材３２１は、第２の部材３２２よりも長い。第１の部材３２１は、第３の部材３２３よりも長い。第２の部材３２２の長さは、第３の部材３２３の長さと略同じである。第１の部材３２１、第２の部材３２２、および第３の部材３２３のそれぞれは、直線状を呈する。
【００３９】
第１の部材３２１は、浴槽３３０の正面（洗い場１００の側の面）に設置される。つまり、第１の部材３２１は、洗い場１００と浴槽載置部２１０との間の境界部に設置される。第２の部材３２２および第３の部材３２３は、浴槽３３０の側面（蓋材３１０の側の面）に設置される。つまり、第２の部材３２２および第３の部材３２３は、蓋材３１０と浴槽載置部２１０との間の境界部に設置される。
【００４０】
図５（ｂ）に表したように、第１の部材３２１と第２の部材３２２との間に、第１のコーナピース３２６が設置される。第１の部材３２１は、第１のコーナピース３２６を介して間接的に第２の部材３２２と接続される。  
第１の部材３２１と第３の部材３２３との間に、第２のコーナピース３２７が設置される。第１の部材３２１は、第２のコーナピース３２７を介して間接的に第３の部材３２３と接続される。
【００４１】
図６（ａ）および図６（ｂ）に表したように、第１の部材３２１は、第１のコーナピース３２６とオーバーラップする。第１の部材３２１と第１のコーナピース３２６との間のオーバーラップ代Ｄ１は、適宜変更可能である。  
第２の部材３２２は、第１のコーナピース３２６とオーバーラップする。第２の部材３２２と第１のコーナピース３２６との間のオーバーラップ代Ｄ２は、適宜変更可能である。  
第１の部材３２１と第２のコーナピース３２７との間のオーバーラップの関係は、第１の部材３２１と第１のコーナピース３２６との間のオーバーラップの関係と同様である。第３の部材３２３と第２のコーナピース３２７との間のオーバーラップの関係は、第２の部材３２２と第１のコーナピース３２６との間のオーバーラップの関係と同様である。
【００４２】
図６（ａ）に表したように、第１の部材３２１は、堰面部３２１ａと、取付面部３２１ｂと、フランジ部３２１ｃと、を有する。第１の部材３２１が設置された状態では、堰面部３２１ａは、洗い場１００の表面１０２および蓋材３１０の表面３１１から上へ略垂直方向に延在する。取付面部３２１ｂは、堰面部３２１ａの下端部から略水平方向に延在する。取付面部３２１ｂには、第２の孔３２９が形成されている。第２の孔３２９は、取付面部３２１ｂを貫通している。フランジ部３２１ｃは、堰面部３２１ａの側面に設けられ、堰面部３２１ａからみて取付面部３２１ｂとは反対方向に堰面部３２１ａの側面から略水平方向に延在する。
【００４３】
第２の部材３２２は、堰面部３２２ａと、取付面部３２２ｂと、フランジ部３２２ｃと、を有する。第２の部材３２２が設置された状態では、堰面部３２２ａは、洗い場１００の表面１０２および蓋材３１０の表面３１１から上へ略垂直方向に延在する。取付面部３２２ｂは、堰面部３２２ａの下端部から略水平方向に延在する。取付面部３２２ｂには、第２の孔３２９が形成されている。フランジ部３２２ｃは、堰面部３２２ａの側面に設けられ、堰面部３２２ａからみて取付面部３２２ｂとは反対方向に堰面部３２２ａの側面から略水平方向に延在する。
【００４４】
第３の部材３２３の構造は、第１の部材３２１の構造および第２の部材３２２の構造と同様である。  
図６（ａ）に表したように、第１のコーナピース３２６は、第４の孔３２６ａを有する。第４の孔３２６ａは、第１のコーナピース３２６を貫通する。第２のコーナピース３２７の構造は、第１のコーナピース３２６の構造と同様である。
【００４５】
本実施形態によれば、浴槽３３０の二辺あるいは三辺を囲む堰部材３２０は、複数の直線状の部材に分割されている。そのため、堰部材３２０については、複数の直線状の部材を施工現場に搬送し、施工現場において堰部材３２０を組み立てることができる。これにより、堰部材３２０の搬送性を向上させることができる。
【００４６】
また、第１の部材３２１と第１のコーナピース３２６との間のオーバーラップ代Ｄ１が適宜変更可能であるため、第１の部材３２１と第１のコーナピース３２６との間には、遊びが存在する。そのため、蓋材３１０や浴槽３３０などの寸法誤差を吸収することができる。
【００４７】
図７は、本実施形態の浴槽パンおよび洗い場を表す模式的斜視図である。  
図８は、蓋材および堰部材が浴槽パンに設置された状態を表した模式的斜視図である。  図９は、第１の部材と第２の部材との間の角部を拡大した模式的拡大図である。  
図１０は、第１の部材と第２の部材との間の角部を表す模式的斜視図である。
【００４８】
図７は、図３（ａ）に表した矢印Ａ１の方向に浴槽パン２００を眺めたときの模式的斜視図である。図８は、図３（ｂ）に表した切断面Ｅ−Ｅにおける断面を斜めから眺めた模式的斜視図である。図９は、図３（ｂ）に表した矢印Ａ２の方向に第１の部材３２１と第２の部材３２２との間の角部を眺めたときの模式的斜視図である。図１０は、図３（ｂ）に表した切断面Ｆ−Ｆにおける断面を斜めから眺めたときの模式的斜視図である。
【００４９】
図７に表したように、第１の孔２２１が浴槽パン２００に形成されている。また、浴槽パン２００の表面２０１には、ガイド部２２９が設けられている。ガイド部２２９は、浴槽パン２００の表面２０１から上へ突出し、蓋材３１０の位置を決める。
【００５０】
図８および図９に表したように、蓋材３１０は、端部に設けられた取付フランジ３６０を有する。蓋材３１０が浴槽パン２００に取り付けられた状態において、取付フランジ３６０は、蓋材３１０の表面３１１から下へ後退した位置に設けられ、浴槽パン２００の表面２０１に載置される。取付フランジ３６０には、第３の孔３６１が形成されている。第３の孔３６１は、取付フランジ３６０を貫通する。
【００５１】
図９に表したように、第１の部材３２１は、例えばねじなどの締結部材４６１が第２の孔３２９を通して浴槽パン２００に締結することにより、浴槽パン２００に固定される。第２の部材３２２は、浴槽パン２００の上に載置された蓋材３１０の取付フランジ３６０の上に載置される。第２の部材３２２は、締結部材４６１が第２の孔３２９および第３の孔３６１を通して浴槽パン２００の第１の孔２２１に締結されることにより、蓋材３１０とともに浴槽パン２００に固定される。つまり、第２の部材３２２および蓋材３１０は、締結部材４６１により浴槽パン２００に共締めされる。
【００５２】
第１のコーナピース３２６は、締結部材４６１が第４の孔３２６ａを通して浴槽パン２００に締結されることにより、浴槽パン２００に固定される。また、第１のコーナピース３２６のうちの一部は、浴槽パン２００の上に載置された蓋材３１０の取付フランジ３６０の上に載置される。第１のコーナピース３２６は、締結部材４６１が第４の孔３２６ａおよび第３の孔３６１を通して浴槽パン２００に締結されることにより、蓋材３１０とともに浴槽パン２００に固定される。つまり、第１のコーナピース３２６および蓋材３１０は、締結部材４６１により浴槽パン２００に共締めされる。
【００５３】
第１の部材３２１と第３の部材３２３との間の角部における浴槽パン２００に対する取付構造は、第１の部材３２１と第２の部材３２２との間の角部に関して前述した浴槽パン２００に対する取付構造と同様である。
【００５４】
これによれば、第１のコーナピース３２６および蓋材３１０が締結部材４６１により浴槽パン２００に共締めされるため、施工を簡素化することができ、施工時間を短縮することができる。
【００５５】
また、堰部材３２０の取付位置は、浴槽３３０、第１のエプロン３４１、および第２のエプロン３４２により隠蔽される。より具体的には、堰部材３２０の取付位置は、堰部材３２０からみて浴槽載置部２１０の側に設けられ、洗い場１００の側および蓋材３１０の側に露出しない。締結部材４６１は、蓋材３１０の表面３１１には露呈されない。これにより、浴室１０の見栄えをよくすることができる。また、要介助者４１０および介助者４２０の足が締結部材４６１に触れることを抑え、要介助者４１０および介助者４２０が冷たさを感ずることを抑えることができる。
【００５６】
さらに、蓋材３１０の取付フランジ３６０が浴槽３３０の下に設けられるため、堰部材３２０が蓋材３１０の上に設けられる場合と比較して、浴槽３３０に近い位置に堰部材３２０を取り付けることができる。そのため、堰部材３２０が蓋材３１０の上に設けられる場合と比較して、介助用スペース３１０ａを浴槽３３０の側に広げることができる。そのため、介助者４２０は、浴槽３３０のへりにまで足を入れることができる。これにより、要介助者４１０が浴槽３３０に入るときの介助作業、あるいは要介助者４１０が浴槽３３０から出るときの介助作業を、介助用スペース３１０ａにおいて行いやすくなる。
【００５７】
図９および図１０に表したように、シール材４６３が、第１の部材３２１のフランジ部３２１ｃと、洗い場１００の表面１０２と、の間に設けられている。例えば、シール材４６３は、第１の部材３２１のフランジ部３２１ｃの下面（洗い場１００の表面１０２と対向する面）に取り付けられている。
【００５８】
これによれば、締結部材４６１が浴槽パン２００と締結するときに、シール材４６３は、第１の部材３２１のフランジ部３２１ｃと、洗い場１００の表面１０２と、の間において挟設され潰される。そのため、洗い場１００が堰部材３２０と別体であっても、洗い場１００と堰部材３２０との間の水密性が確保される。これにより、水が洗い場１００と堰部材３２０との間を通り浴槽パン２００に流入することを抑制することができる。
【００５９】
また、シール材４６３が、第２の部材３２２のフランジ部３２２ｃと、洗い場１００の表面１０２と、の間に設けられている。例えば、シール材４６３は、第２の部材３２２のフランジ部３２２ｃの下面（洗い場１００の表面１０２と対向する面）に取り付けられている。
【００６０】
これによれば、締結部材４６１が浴槽パン２００と締結するときに、シール材４６３は、第２の部材３２２のフランジ部３２２ｃと、蓋材３１０の表面３１１と、の間において挟設され潰される。そのため、蓋材３１０が堰部材３２０と別体であっても、蓋材３１０と堰部材３２０との間の水密性が確保される。これにより、水が蓋材３１０と堰部材３２０との間を通り浴槽パン２００に流入することを抑制することができる。
【００６１】
第１の部材３２１と第３の部材３２３との間の角部における水密構造は、第１の部材３２１と第２の部材３２２との間の角部に関して前述した水密構造と同様である。
【００６２】
図１１は、エプロンと堰部材との間の関係を説明する模式図である。  
図１１（ａ）は、図３（ｃ）に表した切断面Ｇ−Ｇにおける模式的断面図である。図１１（ｃ）は、図３（ｃ）に表した切断面Ｇ−Ｇにおける断面を斜めから眺めた模式的斜視図である。
【００６３】
第１のエプロン３４１は、第１の係止部３４４を有する。第１のエプロン３４１が設置された状態において、第１の係止部３４４は、浴槽３３０の側に設けられ、浴槽３３０に向かって突出している。  
浴槽３３０は、第２の係止部３３５を有する。浴槽３３０が浴槽載置部２１０に設置された状態において、第２の係止部３３５は、第１のエプロン３４１あるいは洗い場１００の側に設けられ、第１のエプロン３４１あるいは洗い場１００に向かって突出している。
【００６４】
第１のエプロン３４１が設置された状態では、第１の係止部３４４が第２の係止部３３５と係合している。また、第１のエプロン３４１が設置された状態では、第１のエプロン３４１の上端部は、浴槽３３０のリム３３３の裏側の部分と係合している。このようにして、第１のエプロン３４１は、浴槽３３０に取り付けられる。  
堰部材３２０の第１の部材３２１の取付構造は、図７〜図１０に関して前述した通りである。
【００６５】
ここで、図１１（ａ）および図１１（ｂ）に表したように、第１のエプロン３４１は、浴槽３３０に取り付けられた状態では、堰部材３２０の第１の部材３２１とオーバーラップしている。より具体的には、第１のエプロン３４１の下端部は、堰部材３２０の第１の部材３２１と重複し、堰部材３２０の第１の部材３２１からみて洗い場１００の側に位置する。  
第２のエプロン３４２と、堰部材３２０の第２の部材３２２および堰部材３２０の第３の部材３２３と、の間の配置関係は、第１のエプロン３４１と、堰部材３２０の第１の部材３２１と、の間の配置関係と同様である。
【００６６】
これによれば、堰部材３２０の高さを超える程度に跳ねた水が堰部材３２０に向かって流れてきても、第１のエプロン３４１および第２のエプロン３４２が堰部材３２０の手前に存在するため、水が堰部材３２０を乗り越えて浴槽パン２００に流入することを抑えることができる。
【００６７】
図１２は、蓋材および浴槽の設置形態を例示する模式的斜視図である。  
図１２（ａ）は、浴槽３３０が浴槽パン２００の略中央部に設置された例を表す模式的斜視図である。図１２（ｂ）および図１２（ｃ）は、浴槽３３０が浴槽パン２００の一端部に設置された例を表す模式的斜視図である。
【００６８】
図１（ａ）〜図２に関して前述したように、蓋材３１０が浴槽パン２００の一部を覆うことにより、浴槽パン２００の上に、浴槽載置部２１０と、介助用スペース３１０ａと、が形成される。このとき、蓋材３１０の配置に基づいて、浴槽載置部２１０および介助用スペース３１０ａの設置形態を変更することができる。
【００６９】
すなわち、図１２（ａ）に表したように、蓋材３１０を浴槽パン２００の両端部に設置すると、浴槽載置部２１０は、一方の蓋材３１０と他方の蓋材３１０との間に形成される。浴槽３３０は、一方の蓋材３１０と他方の蓋材３１０との間に形成された浴槽載置部２１０の上に載置される。図１２（ａ）に表した例は、図１（ａ）〜図１１（ｂ）に関して前述した浴室１０の例と同様である。
【００７０】
図１２（ｂ）および図１２（ｃ）に表したように、蓋材３１０を浴槽パン２００の一端部に設置すると、浴槽載置部２１０は、蓋材３１０と並んで浴槽パン２００の他端部に形成される。浴槽３３０は、蓋材３１０と並んで浴槽パン２００の他端部に形成された浴槽載置部２１０の上に載置される。例えば、図１２（ｂ）および図１２（ｃ）に表した例は、図１２（ａ）に表した例の浴室よりも狭い浴室などに利用される。
【００７１】
これによれば、浴槽載置部２１０の配置を自由に変更することができ、要介助者４１０の身体特性に応じた位置に浴槽３３０を配置することができる。
【００７２】
次に、本実施形態にかかる浴室１０の組立工程の一部について、図面を参照しつつ説明する。  
図１３は、本実施形態にかかる浴室の組立工程の一部を説明する模式的斜視図である。
【００７３】
図１３（ａ）に表したように、洗い場１００と浴槽パン２００とを並べて互いに接続する。  
続いて、図１３（ｂ）に表したように、蓋材３１０を浴槽パン２００のうちの一部に設置する。これにより、浴槽パン２００のうちの一部は、蓋材３１０により覆われる。また、蓋材３１０を設置することで、浴槽パン２００の上に、浴槽載置部２１０と、介助用スペース３１０ａと、が形成される。
【００７４】
続いて、図１３（ｃ）に表したように、第１のコーナピース３２６および第２のコーナピース３２７を締結部材４６１により浴槽パン２００に固定する。  
続いて、図１３（ｄ）に表したように、洗い場１００と浴槽載置部２１０との間の境界部に、第１の部材３２１を締結部材４６１により浴槽パン２００に固定する。蓋材３１０と浴槽載置部２１０との間の境界部に、締結部材４６１により第２の部材３２２を蓋材３１０とともに浴槽パン２００に固定する。蓋材３１０と浴槽載置部２１０との間の境界部に、締結部材４６１により第３の部材３２２を蓋材３１０とともに浴槽パン２００に固定する。
【００７５】
続いて、図１３（ｅ）に表したように、浴槽３３０を浴槽載置部２１０に設置する。  
続いて、図１３（ｆ）に表したように、浴槽３３０と洗い場１００との間の境界に第１のエプロン３４１を設置し、浴槽３３０における洗い場１００の側の側面を覆い隠す。  
続いて、図１３（ｇ）に表したように、浴槽３３０と蓋材３１０との間の境界に第２のエプロン３４２を設置し、浴槽３３０における蓋材３１０の側の側面を覆い隠す。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗い場１００および浴槽パン２００などが備える各要素の形状、寸法、材質、配置などや浴槽３３０、蓋材３１０および堰部材３２０の設置形態などは、例示したものに限定されるわけではなく適宜変更することができる。例えば、堰部材３２０を浴槽パン２００に着脱可能に固定するのに代えて、堰部材３２０を蓋材３１０や洗い場１００に着脱可能に固定してもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０ 浴室、  １００ 洗い場、  １０１ 排水口カバー、  １０２ 表面、  １０３ 排水口、  １０５ ヘアキャッチャ、  ２００ 浴槽パン、  ２０１ 表面、  ２１０ 浴槽載置部、  ２２１ 第１の孔、  ２２９ ガイド部、  ３１０ 蓋材、  ３１０ａ 介助用スペース、  ３１１ 表面、  ３２０ 堰部材、  ３２１ 第１の部材、  ３２１ａ 堰面部、  ３２１ｂ 取付面部、  ３２１ｃ フランジ部、  ３２２ 第２の部材、  ３２２ａ 堰面部、  ３２２ｂ 取付面部、  ３２２ｃ フランジ部、  ３２３ 第３の部材、  ３２６ 第１のコーナピース、  ３２６ａ 第４の孔、  ３２７ 第２のコーナピース、  ３２９ 第２の孔、  ３３０ 浴槽、  ３３１ 排水口、  ３３３ リム、  ３３５ 第２の係止部、  ３４１ 第１のエプロン、  ３４２ 第２のエプロン、  ３４４ 第１の係止部、  ３５０ 排水管、  ３６０ 取付フランジ、  ３６１ 第３の孔、  ３８０ 壁パネル、  ３８１ 移乗台、  ３８３ トランスファーボード、  ３９１ 手すり、  ３９２ 照明、  ３９３ 給水装置、  ３９４ 鏡、  ３９５ カウンタ、  ４１０ 要介助者、  ４２０ 介助者、  ４５０ 配管、  ４６１ 締結部材、  ４６３ シール材
【図１】
2015167726.tif 000003
【図２】
2015167726.tif 000004
【図３】
2015167726.tif 000005
【図４】
2015167726.tif 000006
【図５】
2015167726.tif 000007
【図６】
2015167726.tif 000008
【図７】
2015167726.tif 000009
【図８】
2015167726.tif 000010
【図９】
2015167726.tif 000011
【図１０】
2015167726.tif 000012
【図１１】
2015167726.tif 000013
【図１２】
2015167726.tif 000014
【図１３】
2015167726.tif 000015